(57)【要約】      （修正有）【課題】長期間にわたって適当な給水が可能となる植木鉢給水具を提供する。【解決手段】柔軟性のあるパイプ２の中に毛細管現象物質３を詰め込み、その先端に毛細管現象をさせる棒状の差込み体４を取り付けることにより、植木鉢給水具１を構成した。植木鉢給水具１の基端部１Ａを給水容器の水の中に入れ、先端部１Ｂを植木鉢の土の中に差し込むと、毛細管現象により植木鉢へ少しずつ供給される。【選択図】図１
0003134687.tif 000002
【実用新案登録請求の範囲】
【請求項１】
水を通さない材質で作られ、且つ柔軟性を有するパイプと、
該パイプ内に詰め込まれ、毛細管現象を生ぜしめる毛細管現象物質と
から成ることを特徴とする植木鉢給水具。
【請求項２】
水を通さない材質で作られ、且つ柔軟性を有するパイプと、
該パイプ内に詰め込まれ、毛細管現象を生ぜしめる毛細管現象物質と、
毛細管現象はするよう保ちつつ合成繊維を硬く固めて棒状に形成され、前記パイプの一方の端部に後部が差し込まれた差込み体と
から成ることを特徴とする植木鉢給水具。
【請求項３】
塩化ビニールで作られ、且つ柔軟性を有するパイプと、
該パイプ内に毛細管現象を生ぜしめるよう詰め込まれたポリエステル繊維と、
毛細管現象はするよう保ちつつポリエステル繊維を硬く固めて棒状に形成され、前記パイプの一方の端部に後部が差し込まれた差込み体と
から成ることを特徴とする植木鉢給水具。
【請求項４】
パイプの端部の内、給水用の容器に入れる側の端部に、該端部が浮き上がるのを防止するおもりが取り付けられている
ことを特徴とする請求項１，２または３記載の植木鉢給水具。
【考案の詳細な説明】
【技術分野】
【０００１】
本考案は、植木鉢に長期間にわたって少しづつ給水することが出来る植木鉢給水具に関するものである。
【背景技術】
【０００２】
花や木を植えている植木鉢には、定期的に給水してやる必要がある。しかしながら、旅行等に出かけて長期間家を留守にする場合、給水する者が居なくなってしまう。そこで、従来は、鉢皿等を用いて水分を補給することが行われていた。
図４は、鉢皿を用いて植木鉢に給水するやり方を示す図である。図４において、１１は植木、１２は土、１３は植木鉢、１４は水、１５は鉢皿である。鉢皿１５に水１４を入れ、その中に植木鉢１３を置いておく。
そうしておくと、鉢皿１５の水１４は、植木鉢１３の底に開けられている穴（図示せず）から植木鉢１３の中に入り、植木１１に水分が補給される。その補給は、鉢皿１５内の水１４がなくなるまでの期間にわたって行われる。
【考案の開示】
【考案が解決しようとする課題】
【０００３】
前記した鉢皿を用いて行う従来の給水には、次のような問題点があった。
第１の問題点は、なるべく長期間に渡って給水出来るようにと、大きくて深い鉢皿を用いると、植木に根腐れを起こさせてしまうという点である。深さの深い鉢皿を使用して水を大量に入れておくと、確かに長期間に渡って水がなくなることはない。しかし、常に水がたっぷりと供給されているために、しばしば植木の根を腐らせてしまうことがあり好ましくない。
【０００４】
第２の問題点は、長期間にわたる給水をすることが出来ないという点である。根腐れを起こさせないようにするためには、浅い鉢皿を用いて給水するほかないが、そうすると、入れておける水の量も多くない上、大気に接している面積が大であるため水の蒸発も盛んになり、長期間にわたっての給水は出来なくなる。
本考案は、以上のような問題点を解決することを課題とするものである。
【課題を解決するための手段】
【０００５】
前記課題を解決するため、本考案の植木鉢給水具は、水を通さない材質で作られ、且つ柔軟性を有するパイプと、該パイプ内に詰め込まれ、毛細管現象を生ぜしめる毛細管現象物質とから構成される。これが基本的な構成であるが、その一方の端部を植木鉢の土へ差し込み易くするため、その一方の端部に、毛細管現象はするよう保ちつつ合成繊維を硬く固めて棒状に形成された差込み体の後部を差し込んだ構成を、更に追加してもよい。
本考案の植木鉢給水具の好ましい構成例は、塩化ビニールで作られ、且つ柔軟性を有するパイプと、該パイプ内に毛細管現象を生ぜしめるよう詰め込まれたポリエステル繊維と、毛細管現象はするよう保ちつつポリエステル繊維を硬く固めて棒状に形成され、前記パイプの一方の端部に後部が差し込まれた差込み体とから成るという構成である。
なお、上記した植木鉢給水具において、パイプの端部の内、給水用の容器に入れる側の端部に、該端部が浮き上がるのを防止するおもりを取り付けるようにした構成とすることも出来る。
【考案の効果】
【０００６】
本考案の植木鉢給水具によれば、次のような効果を奏する。
１．毛細管現象により給水するから、給水は少しづつ行われ、植木が根腐れを起こすことがない。
２．毛細管現象により給水するから、長期間に渡って給水することが出来る。
【考案を実施するための最良の形態】
【０００７】
以下、本考案の実施形態を図面に基づいて詳細に説明する。
図１は、本考案の植木鉢給水具を示す図である。図１において、１は植木鉢給水具、１Ａは基端部、１Ｂは先端部、２はパイプ、３は毛細管現象物質、４は差込み体である。そして、図１（１）は植木鉢給水具１の全体を示し、図１（２）は（１）のＸ−Ｘ線での断面を示し、図１（３）は先端部１Ｂの構造を説明する図である。
【０００８】
図１（１）に示すように、植木鉢給水具１は、全体としては柔軟性のある細いパイプ状としておく。太さは、給水する植木鉢の大きさに応じて適宜決定される。大きな植木鉢用としては太いものとされ、小さな植木鉢用としては細いものとされる。例えば、鉛筆の太さ程度のものとすることも出来る。
図１（２）に示すように、植木鉢給水具１の断面は、柔軟性あるパイプ２の中に毛細管現象物質３が詰め込まれた構成とされる。パイプ２としては、水を通さない材質であって且つ柔軟性に優れた材質であることが必要である。そのようなものの例としては、ビニルで出来たパイプがある。毛細管現象物質３としては、合成繊維（例えば、ポリエステル繊維）を用いることが望ましい。
【０００９】
図１（３）に示すように、植木鉢給水具１の先端部１Ｂは、前記したような毛細管現象物質３が詰められたパイプ２の先端に、差込み体４の後部が矢印Ａのように差し込まれて形成される。差込み体４としては、合成繊維を毛細管現象はするよう保ちつつ硬く固めたものを用いる。その硬さは、植木鉢の土に手の力で容易に差し込める程度の硬さを有していれば充分である。
なお、筆記具の芯には、合成繊維を固めて筆記の力に耐えるよう硬い棒状にし、毛細管現象でインクを少しづつ滲み出させるようにした芯（いわゆる繊維芯）があるが、これに類似したものとすればよい。
【００１０】
図２は、本考案の使用例を示す図である。符号は図１，図４のものに対応し、１は植木鉢給水具、５は給水容器、６は水、７は端部固定ブロックである。
給水容器５には水６が溜められ、底には端部固定ブロック７が置かれている。端部固定ブロック７は、植木鉢給水具１の基端部１Ａを給水容器５の底に近い位置に固定するためのものである。
なお、植木鉢給水具１の基端部１Ａは、端部固定ブロック７以外の適宜な手段により（例えば、小石を２，３個沈めて基端部１Ａを挟むように置くとかして）、給水容器５の底に近い位置に固定することが出来るから、端部固定ブロック７は本考案に必須のものというわけではない。
【００１１】
基端部１Ａが給水容器５内に固定された植木鉢給水具１は、パイプ２が柔軟性を有するパイプであるから、給水しようとしている植木鉢１３に先端が届くよう適宜に曲げ、先端の差込み体４を植木鉢１３の土１２に差し込む。給水容器５内の水６は、植木鉢給水具１内の毛細管現象物質３に吸い上げられ、中を伝わって先端へ移動し、先端の差込み体４から土１２へと給水される。パイプ２は水を通さない材質で作られているから、水がパイプ２の外表面に滲み出すことがなく、パイプ２の途中で無駄に失われることがない。
【００１２】
土１２が水分をたっぷり含んでいると、毛細管現象により給水容器５から植木鉢１３へ移動して行く水は少ないが、植木１１に吸収されたり大気へ蒸発したりして土１２の水分が少なくなると、移動して行く水は多くなる。
給水容器５から植木鉢１３への給水は、土１２の乾き具合に応じて毛細管現象により少しづつ行われるので、長期間にわたって給水を行うことが可能となる。従って、旅行等で長期間留守にする場合であっても、植木１１を枯らしてしまうことがない。
【００１３】
図３は、端部固定ブロックの１例を示す図である。符号は図２のものに対応し、７Ａはテーブル部、７Ｂは台部、７Ｃは基端部挿通穴である。端部固定ブロック７は水に沈む材質（例、レンガ材，コンクリート材）で作られ、円柱状の台部７Ｂと、その上に径大で一体に形成された円板状のテーブル部７Ａとで構成される。そして、テーブル部７Ａの周囲付近のところどころには、テーブル部７Ａを上下に貫通する基端部挿通穴７Ｃが開けられている。
基端部挿通穴７Ｃの径は、植木鉢給水具１の基端部１Ａを挿入して固定することが出来る大きさとされる。
【００１４】
図５は、本考案の他の使用例を示す図である。符号は図２のものに対応し、８はおもりである。図２の使用例は１つの給水容器５から１個の植木鉢１３へ給水する例であったが、図５の使用例は２個の植木鉢１３へ給水する例である。このように、手軽な植木鉢給水具１さえあれば、１つの給水容器５から任意の数の植木鉢へ給水することが出来る。
おもり８は、植木鉢給水具１の基端部１Ａが浮き上がらないようにするためのものであり、必要に応じて装着することが出来る。おもり８は、例えば太い針金をコイル状に巻いた形状のものとすることが出来る。なお、そのコイルの内径は、基端部１Ａを嵌め込むことが出来る大きさとしておく。
【００１５】
図６は、業務用の使用例を示す図である。図６において、符号は図２のものに対応し、９は台、２０は導出パイプ、２１は給水バルブ、２２は給水パイプ、２３は分岐部である。図６（１）は平面図、（２）は側面図（一部断面）である。
図２，図５等で述べたのは家庭での使用例であったが、本考案による植木鉢給水具１を用いての給水は、図６に示す如く業務用にも応用することが出来る。
【００１６】
ビニルハウス等の温室で、多数の植木鉢１３に花等が栽培されていることがある。そのような多数の植木鉢１３への給水を行う場合、１つの大きな給水容器５に水６を溜め、そこから給水バルブ２１の付いた導出パイプ２０で水を導出し、給水パイプ２２，分岐部２３，植木鉢給水具１を経て各植木鉢１３と結ぶ。給水バルブ２１を開くと、給水容器５の水６は給水パイプ２２へ送られ、その水は分岐部２３から植木鉢給水具１を通って植木鉢１３へと少しづつ供給される。
このようにすれば、多くの植木鉢１３に対し、人手を要することなく長期間にわたって少しづつ給水することが出来る。
【００１７】
なお、上記した例では、パイプ２の端部の内、植木鉢１３の土１２に差し込む側の端部に、差込み体４を取り付けたものを示したが、差込み体４は必ずしも取り付ける必要はない。なぜなら、小さな植木鉢用に用いるということでパイプ２を細いものとした場合、土１２への端部の差し込みは容易に出来るので、わざわざ差込み体４を取り付けなくともよいからである。また、パイプ２を太くした場合でも、植木鉢１３の土１２を指で掘ってそこに端部を埋めるという具合にすることも出来るが、そのようにすれば差込み体４は不用となるからである。
【図面の簡単な説明】
【００１８】
【図１】本考案の植木鉢給水具を示す図
【図２】本考案の使用例を示す図
【図３】端部固定ブロックの１例を示す図
【図４】留守にする時の従来の植木鉢給水の仕方の１例を示す図
【図５】本考案の他の使用例を示す図
【図６】業務用の使用例を示す図
【符号の説明】
【００１９】
１…植木鉢給水具、１Ａ…基端部、１Ｂ…先端部、２…パイプ、３…毛細管現象物質、４…差込み体、５…給水容器、６…水、７…端部固定ブロック、７Ａ…テーブル部、７Ｂ…台部、７Ｃ…基端部挿通穴、８…おもり、９…台、１１…植木、１２…土、１３…植木鉢、１４…水、１５…鉢皿、２０…導出パイプ、２１…給水バルブ、２２…給水パイプ、２３…分岐部
【図１】
0003134687.tif 000003
【図２】
0003134687.tif 000004
【図３】
0003134687.tif 000005
【図４】
0003134687.tif 000006
【図５】
0003134687.tif 000007
【図６】
0003134687.tif 000008